(57)【要約】  太陽電池モジュール群１０は、架台上に並べて設置される複数の太陽電池モジュール１１と、架台上に設けられて太陽電池モジュール１１の外周を裏面側から覆う水受け１４とを備える。水受け１４としては、２種類の水受け６０，７０を用いることが好適である。
2014076954.tif 000002
【特許請求の範囲】
【請求項１】
第１面と前記第１面とは反対側の第２面とを有し、前記第２面を架台側に向けて、架台上に並べて設置される複数の太陽電池モジュールと、
前記架台上に設けられて前記太陽電池モジュールの外周を前記第２面側から覆う水受けと、
を備えた太陽電池モジュール群。
【請求項２】
請求項１に記載の太陽電池モジュール群であって、
前記太陽電池モジュールは、前記水受けを介して前記架台に固定される太陽電池モジュール群。
【請求項３】
請求項１又は２に記載の太陽電池モジュール群であって、
前記水受けは、隣り合う前記太陽電池モジュールの継目部において該モジュールの各々に跨って設けられる太陽電池モジュール群。
【請求項４】
請求項１〜３のいずれか１項に記載の太陽電池モジュール群であって、
前記太陽電池モジュールに取り付けられる化粧カバーをさらに備え、
前記水受けは、前記太陽電池モジュール及び前記化粧カバーの継目部において該モジュールと該カバーとに跨って設けられる太陽電池モジュール群。
【請求項５】
請求項１〜４のいずれか１項に記載の太陽電池モジュール群であって、
前記水受けは、前記第１面から前記第２面に向かう第１方向における前記太陽電池モジュールに搭載された太陽電池素子の直下よりも、前記太陽電池モジュールの端縁側に設けられる太陽電池モジュール群。
【請求項６】
請求項１〜５のいずれか１項に記載の太陽電池モジュール群であって、
前記太陽電池モジュールは、前記第２面側に取り付けられた端子ボックスを有し、
前記水受けは、前記第１面から前記第２面に向かう第１方向における前記端子ボックスの直下に設けられる太陽電池モジュール群。
【請求項７】
請求項１〜６のいずれか１項に記載の太陽電池モジュール群であって、
前記水受けには、前記第２面から前記第１面に向かう第２方向に突出したリブが、前記水受けの長手方向に沿って設けられる太陽電池モジュール群。
【請求項８】
請求項７に記載の太陽電池モジュール群であって、
前記水受けには、前記第２方向に突出した第１リブ及び第２リブが、前記水受けの長手方向に沿って設けられ、
前記第１方向における前記太陽電池モジュールのフレームの直下に位置する前記第１リブの高さは、前記第１方向における前記端子ボックスの直下に位置する前記第２リブの高さよりも高い太陽電池モジュール群。
【発明の詳細な説明】
【技術分野】
【０００１】
本発明は、太陽電池モジュール群に関する。
【背景技術】
【０００２】
特許文献１は、鋼板を折り曲げて製作された配線ガッターを屋根材上にビス止めし、かかるガッター上に太陽電池モジュールを設置した構造を開示する。屋根材等に太陽電池モジュールを設置する場合は、複数個並べてモジュール群を構成することが多い。
【先行技術文献】
【特許文献】
【０００３】
【特許文献１】特開２００５‐５１０８３号公報
【発明の概要】
【発明が解決しようとする課題】
【０００４】
ところで、太陽電池モジュール群の施工形態等によっては、裏面側に雨水等が滴り落ちることを防止する構造が必要である。また、かかる構造は、例えば、簡便なものであって施工が煩雑ではなく、太陽電池モジュールの性能に影響を与えないことが望まれる。
【課題を解決するための手段】
【０００５】
本発明に係る太陽電池モジュール群は、第１面と第１面とは反対側の第２面とを有し、第２面を架台側に向けて、架台上に並べて設置される複数の太陽電池モジュールと、架台上に設けられて太陽電池モジュールの外周を第２面側から覆う水受けとを備える。
【発明の効果】
【０００６】
本発明に係る太陽電池モジュール群によれば、裏面側に雨水等が滴り落ちることを防止できる。
【図面の簡単な説明】
【０００７】
【図１】本発明の実施形態の一例である太陽電池モジュール群を備えるカーポートの正面図である。
【図２】図１に示すカーポートの側面図である。
【図３】図２に示す矢印αの方向から見たカーポートの上面図である。
【図４】図３において、太陽電池モジュールを取り付ける前の状態を示す図である。
【図５】図３のＡＡ線断面の一部を示す図である。
【図６】図３のＢＢ線断面の他の一部を示す図である。
【図７】図５のＣ部拡大図である。
【図８】図５のＤ部拡大図である。
【図９】図６のＥ部拡大図である。
【図１０】図６のＦ部拡大図である。
【図１１】本発明の実施形態の一例である水受け構造の変形例を示す図である。
【図１２】本発明の実施形態の一例である水受け構造の変形例を示す図である。
【発明を実施するための形態】
【０００８】
図面を参照しながら、本発明に係る実施形態を詳細に説明する。本発明は、以下の実施形態に限定されない。また、実施形態において参照する図面は、模式的に記載されたものであり、図面に描画された構成要素の寸法比率などは、現物と異なる場合がある。具体的な寸法比率等は、以下の説明を参酌して判断されるべきである。
【０００９】
本明細書において「略＊＊」とは、「略同一」を例に挙げて説明すると、全く同一はもとより、実質的に同一と認められるものを含む意図である。
【００１０】
図１は、本発明の実施形態の一例である太陽電池モジュール群１０を適用したカーポート１００を示す正面図である。図２は、カーポート１００の側面図である。
【００１１】
カーポート１００は、太陽電池モジュール群１０が設置される縦桟１０１、横桟１０２（以下、これらを総称して「架台」という）を備える。カーポート１００には、等間隔に配置された複数（３本）の横桟１０２上に、複数（６本）の縦桟１０１が等間隔で配置されている。縦桟１０１と横桟１０２は、互いに直交しており、太陽電池モジュール群１０を構成する各太陽電池モジュール１１の端部に位置するように設計されている。１本の横桟１０２には、２本の支柱１０３が設けられている。縦桟１０１は支柱１０３側が下方に位置するように傾斜しており、その上に設置される太陽電池モジュール群１０も同様に傾斜している（以下、支柱１０３側を「軒側」、軒側の反対側を「棟側」という）。
【００１２】
カーポート１００は、一般的に用いられるプラスチック製の屋根材の代わりに、太陽電池モジュール群１０を適用したものである。即ち、太陽電池モジュール群１０が雨等を受ける屋根材としての機能も果たす。即ち、カーポート１００において、裏面側の雨水等の滴り落ちを防止することは重要である。カーポート１００は、上記のように、架台が各太陽電池モジュール１１の端部に位置するため裏面側からも光が入射し易く、両面発電型モジュールに好適である。
【００１３】
本実施形態はカーポート１００を例示するが、太陽電池モジュール群１０の適用形態はこれに限定されない。太陽電池モジュール群１０は、例えば、カーポート１００と形状の異なるカーポートの屋根や、アーケードの屋根などに適用できる。また、家屋の屋根等に設置される一般的な用途に適用することもできる。
【００１４】
図３は、図２の矢印αの方向から見たカーポート１００の上面図、即ち太陽電池モジュール群１０を受光面側から見た図である。図４は、図３において、太陽電池モジュールを取り付ける前の状態を示す図である。図４では、図面の明瞭化のため、架台の記載を省略し架台上に取り付けられる水受け１４のみを示している。ここで、「受光面」とは太陽光が主に入射する面を意味し、「裏面」とは受光面と反対側の面を意味する。
【００１５】
太陽電池モジュール群１０は、架台上に並べて設置される複数の太陽電池モジュール１１と、架台上に設けられて太陽電池モジュール１１の外周を裏面側から覆う水受け１４とを備える。水受け１４としては、２種類の水受け６０，７０を用いることが好適である。また、太陽電池モジュール群１０は、並べられた複数の太陽電池モジュール１１のうち端に位置する太陽電池モジュール１１（以下、「端部モジュール」という場合がある）に取り付けられる化粧カバー１２を備えることが好ましい。化粧カバー１２は、太陽電池モジュール群１０の外周の全長に亘って取り付けられることが好ましい。
【００１６】
本実施形態では、平面視において矩形形状を呈する太陽電池モジュール１１の長手方向が縦桟１０１に平行となるように縦２枚、横５枚の計１０枚が設置されており、全ての太陽電池モジュール１１が端部モジュールである。各太陽電池モジュール１１は同一平面上に並べられており、隣り合うモジュール間では長辺同士、短辺同士がそれぞれ対向する。並べられた複数の太陽電池モジュール１１は、全体としても平面視において矩形形状を呈している。但し、全体としては、各太陽電池モジュール１１の短辺に沿った方向が長手方向となっている。なお、「平面視」とは、受光面に対し垂直方向から観た際の平面形状を意味する。
【００１７】
太陽電池モジュール群１０には、隣り合う太陽電池モジュール１１同士の継目と、太陽電池モジュール１１と化粧カバー１２との継目とに、継目部１３が設けられている。隣り合う太陽電池モジュール１１の間においては、長辺同士が隣り合っている部分にのみ継目部１３が設けられる。継目部１３には継合部材５０（後述の図７等参照）等が設けられ、継合部材５０は、例えば、隣り合う太陽電池モジュール１１同士をつなぐ。本実施形態では、継合部材５０により太陽電池モジュール１１同士等がずれ動かないように固定される。一方、太陽電池モジュール１１の短辺同士、及び太陽電池モジュール１１の短辺と化粧カバー１２は互いに継ぎ合わされていない。即ち、継合部材５０により互いにつながっておらず互いに固定されていない。
【００１８】
水受け１４は、継目部１３の直下、及び太陽電池モジュール１１の短辺同士が突き合わされる部分の直下に設けられる。ここで、「直下」とは、受光面から裏面に向かう方向における真下を意味する（以下同様）。本実施形態において、水受け６０は、横桟１０２に沿って設けられ、水受け７０は、縦桟１０１に沿って設けられている。水受け６０は、例えば、太陽電池モジュール１１の短辺の長さと略同等の長さを有し、１本の横桟１０２に対して５本設けられる。水受け７０は、例えば、棟側から軒側まで１つの部材により構成されており、縦桟１０１と同じ本数設けられる。水受け７０には、水受け６０と交差する部分に切欠き７４が形成されている。水受け６０は、切欠き７４に嵌め込まれて水受け７０上に配置される。なお、水受け７０は、縦桟１０１に対して締結部材７１を用いて固定されている。締結部材７１には、パッキン付きのドリリングビスを用いることが好適である。
【００１９】
以下、図５〜図１０をさらに参照しながら太陽電池モジュール群１０の各構成要素について詳説する。図５は、図３のＡＡ線断面の一部を示す図、図６は、図３のＢＢ線断面の一部を示す図である。図７，８，９，１０は、それぞれ図５のＣ部、Ｄ部、図６のＥ部、Ｆ部の拡大図である。
【００２０】
＜太陽電池モジュール１１＞
太陽電池モジュール１１は、太陽電池パネル２０と、太陽電池パネル２０の端縁に取り付けられるフレーム２１とを備える（図３参照）。太陽電池パネル２０には、複数の太陽電池素子２２が搭載されている。また、太陽電池パネル２０の裏面側には、パネルの端から引き出されるリード線と太陽電池モジュール１１から電流を出力するための電力線との接続部を内蔵する端子ボックス２６が接着剤等により取り付けられている。
【００２１】
図５，６に示すように、本実施形態では、太陽電池モジュール１１が水受け１４を介して縦桟１０１に固定される。具体的には、水受け７０に太陽電池モジュール１１が締結される。水受け７０は、上記のように、締結部材７１で縦桟１０１に固定される。
【００２２】
［太陽電池パネル２０］
太陽電池パネル２０は、複数の太陽電池素子２２と、太陽電池素子２２の受光面側に配置される第１保護部材２３と、太陽電池素子２２の裏面側に配置される第２保護部材２４とを備える（図５参照）。複数の太陽電池素子２２は、第１保護部材２３及び第２保護部材２４により挟持されると共に、充填材２５により封止されている。また、太陽電池パネル２０は、太陽電池素子２２の電極に取り付けられて隣接する太陽電池素子２２同士を接続する配線材等を備える。
【００２３】
太陽電池素子２２は、太陽光を受光することでキャリアを生成する光電変換部を備える。光電変換部には、例えば、受光面上に受光面電極が、裏面上に裏面電極がそれぞれ形成される。なお、太陽電池素子２２の構造は特に限定されず、例えば、光電変換部の裏面上のみに電極が形成された構造であってもよい。
【００２４】
光電変換部は、例えば、結晶系シリコン（ｃ‐Ｓｉ）、ガリウム砒素（ＧａＡｓ）、インジウム燐（ＩｎＰ）等の半導体基板と、基板上に形成された非晶質半導体層と、非晶質半導体層上に形成された透明導電層とを有する。具体例としては、ｎ型単結晶シリコン基板の受光面上にｉ型非晶質シリコン層、ｐ型非晶質シリコン層、及び透明導電層を順に形成し、裏面上にｉ型非晶質シリコン層、ｎ型非晶質シリコン層、及び透明導電層を順に形成した構造が挙げられる。透明導電層は、酸化インジウム（Ｉｎ2Ｏ3）や酸化亜鉛（ＺｎＯ）等の金属酸化物に、錫（Ｓｎ）やアンチモン（Ｓｂ）等をドープした透明導電性酸化物から構成されることが好ましい。
【００２５】
電極は、例えば、複数のフィンガー部、及び複数のバスバー部からなる。フィンガー部は、透明導電層上の広範囲に形成される細線状の電極であり、バスバー部は、フィンガー部からキャリアを収集する電極である。配線材は、バスバー部に取り付けられる。
【００２６】
第１保護部材２３には、例えば、ガラス基板や樹脂基板、樹脂フィルム等の透光性を有する部材を用いることができる。これらのうち、耐火性、耐久性等の観点から、ガラス基板が好適である。第２保護部材２４には、第１保護部材２３と同じ部材を用いることができ、また裏面側からの光の入射を想定しない場合には透光性を有さない部材を用いることもできる。本実施形態では、第１保護部材２３、第２保護部材２４共に透光性を有するガラス基板を用いている。充填材２５には、例えば、エチレン酢酸ビニル共重合体（ＥＶＡ）等の樹脂を用いることができる。
【００２７】
［フレーム２１］
フレーム２１は、ステンレスやアルミニウム等の金属製枠であって、軽量性等の観点から好ましくはアルミニウム製とされる。フレーム２１は、太陽電池パネル２０の端縁を保護すると共に、隣り合う太陽電池モジュール１１同士の固定や、化粧カバー１２との固定などに利用される。フレーム２１は、例えば、複数のフレームを組み合わせて構成され、太陽電池パネル２０の四方を囲んでいる。
【００２８】
図７〜図１０では、太陽電池パネル２０の長辺側に取り付けられるフレーム２１をフレーム２１Ａ、短辺側に取り付けられるフレーム２１をフレーム２１Ｂ，２１Ｃとして示している。フレーム２１Ａ，２１Ｂ，２１Ｃは、例えば、後述する本体部３０の空洞に圧入されるコーナーピースを用いて互いに固定される。フレーム２１Ａと、フレーム２１Ｂ，２１Ｃの構造上の主な相違点としては、長手方向の長さ、後述する鍔部３２の有無が挙げられる。また、フレーム２１Ｂ，２１Ｃの構造上の主な相違点としては、後述する嵌合部３１の隙間の寸法が挙げられる。
【００２９】
フレーム２１Ａは、中空構造のフレーム本体部３０（以下、「本体部３０」とする）と、太陽電池パネル２０の端縁が嵌め込まれる嵌合部３１とを有する。本体部３０は、長手方向に延びた空洞を有し、長手方向に直交する方向（以下、「幅方向」という）に切断した断面は、上下方向にやや長く延びた略矩形形状を呈する。嵌合部３１は、本体部３０の上面と、本体部３０上に設けられた長手方向に延びる断面Ｌ字形状の部材とにより構成されている。嵌合部３１は、幅方向において、太陽電池パネル２０が配置される方向に開口したＵ字形状であり、太陽電池パネル２０が嵌め込まれる。以下、特に断らない限り、フレーム２１等の「断面」とは幅方向に切断した断面を意味する。また、フレーム２１等の「上下方向」とは、太陽電池パネル２０の厚み方向を意味し、受光面側を「上」、裏面側を「下」とする。
【００３０】
フレーム２１Ａは、幅方向において、太陽電池パネル２０が配置される側とは反対側（以下、「外側」という）に本体部３０から張り出した鍔部３２を有する。鍔部３２は、隣り合う太陽電池モジュール１１同士の固定、太陽電池モジュール１１と化粧カバー１２との固定、及び太陽電池モジュール１１と水受け７０との固定に用いられる。鍔部３２は、フレーム２１Ａの一部、例えば長手方向の両端近傍や中央部のみに形成されてもよいが、固定性向上等の観点からフレーム２１の長手方向に沿った略全長に亘って形成されることが好ましい。
【００３１】
鍔部３２は、断面Ｌ字形状を呈することが好適である。鍔部３２は、本体部３０の外側下端からさらに外側に向かって張り出している。鍔部３２は、基部３３と、爪部３４とを含む。基部３３は、本体部３０の外側下端から外側に向かって幅方向に延びおり、本体部３０の下面と同一平面を構成する。爪部３４は、基部３３の外側の先端部分から上方向に向かって延びている。爪部３４は、継合部材５０を引っ掛けて止める役割を果たし、基部３３に対して略垂直に設けられることが好ましい。鍔部３２は、例えば、本体部３０の下端から外側に向かって張り出した部分の先端部分を上下方向に沿うように曲げ加工して形成される。
【００３２】
鍔部３２の幅方向長さは、継目部１３の構造等により適宜変更できるが、太陽電池モジュール群１０の設置面積低減の観点から固定性に影響がない範囲で短いことが好ましい。継目部１３において、隣り合う太陽電池モジュール１１の各鍔部３２は、互いに接していてもよいが、好ましくは後述のボルト５１が挿通可能な隙間をあけて対向配置される。
【００３３】
フレーム２１Ｂ、２１Ｃは、フレーム２１Ａとほぼ同一の構成であるが、上述したように、長手方向の長さが異なり、鍔部３２を備えていない点で相違している。さらに、フレーム２１Ｃの一部の嵌合部３１の上下方向の間隔が異なる。具体的には、本実施形態では、太陽電池パネル２０の端縁のうち端子ボックス２６が取り付けられる短辺側の端縁において、第１保護部材２３が第２保護部材２４の端から大きく延出している。そして、かかる端縁に取り付けられるフレーム２１Ｃの嵌合部３１（図１０参照）は、他のフレームの嵌合部よりも隙間が小さく、第１保護部材２３のみを差し込み可能な寸法に設計されている。
【００３４】
＜化粧カバー１２＞
化粧カバー１２は、太陽電池モジュール群１０の外周、即ち端部モジュールの端縁であって隣り合う太陽電池モジュール１１が存在しない端縁に取り付けられる。化粧カバー１２は、太陽電池モジュール群１０の外周から端部モジュールのフレーム２１や水受け１４が見えないように隠して、太陽電池モジュール群１０の意匠性を高める機能を有する。即ち、化粧カバー１２は、下側に配置される水受け７０まで隠蔽可能な形状、寸法を有することが好適である。
【００３５】
化粧カバー１２は、化粧カバー本体部４０（以下、「本体部４０」とする）と、太陽電池モジュール１１等に固定するための取り付け部４１とを有する。本実施形態では、端部モジュールの幅方向における外側端部よりもさらに外側まで水受け７０が延びて配置されている。そのため、本体部４０は、水受け７０に接触しないように、下部側が上部側よりも端部モジュールの外側に位置するように中途部で折れ曲がっている。そして、かかる折れ曲がり部よりも上部側は上下方向に対して端部モジュール側に向かって傾斜しており、下部側は上下方向に沿って水受け７０よりも下方まで延びている。
【００３６】
本体部４０の下部は、幅方向において、端部モジュール側に向かって折れ曲がり、縦桟１０１との隙間をカバーする。太陽電池モジュール群１０の長辺側に取り付けられる化粧カバー１２は、例えば、アングルピース４５及び締結部材４６を用いて縦桟１０１に固定される（図５参照）。軒側の化粧カバー１２には、水受け７０に沿って流れてくる雨水等を抜くための水抜き孔４７を形成しておくことが好適である。
【００３７】
化粧カバー１２の長さは、特に限定されないが、太陽電池モジュール１１の長辺、短辺に対応する２種類の長さを準備することが好ましい。本実施形態では、例えば、縦桟１０１に沿って２本ずつ、横桟１０２に沿って６本ずつの計１４本の化粧カバー１２を用いることができる。隣り合う化粧カバー１２は、カバージョイント４８により互いに固定することができる。
【００３８】
取り付け部４１は、太陽電池パネル２０の受光面に沿った上面部４１ａと、フレーム２１と略同等の上下方向長さを有し、上面部４１ａに対して略垂直な側面部４１ｂとを有する。また、側面部４１ｂの下端からは本体部４０側に向かって上面部４１ａと略平行な下面部４１ｃが、上面部４１ａ及び下面部４１ｃの端からは本体部４０に繋がる斜面部４１ｄがそれぞれ形成されている。そして、取り付け部４１の各面に囲まれた断面略五角形状の空洞が形成される。
【００３９】
取り付け部４１は、側面部４１ｂと下面部４１ｃとが接続された位置から、端部モジュール側に向かってに張り出した鍔部４２を有する。鍔部４２は、太陽電池モジュール１１との固定、及び水受け７０との固定に用いられる。詳しくは後述するように、化粧カバー１２に鍔部４２を設けたことにより、太陽電池モジュール１１同士を固定するための構造と同じ構造を用いて太陽電池モジュール１１と化粧カバー１２とを固定することが可能となる。鍔部４２は、取り付け部４１の一部、例えば長手方向の両端近傍や中央部のみに形成されてもよいが、固定性向上等の観点から取り付け部４１の長手方向に沿った略全長に亘って形成されることが好ましい。
【００４０】
鍔部４２は、断面Ｌ字形状を呈することが好適である。鍔部４２は、基部４３と、爪部４４とを含む。基部４３は、側面部４１ｂと下面部４１ｃとが接続された位置から、端部モジュール側に向かって幅方向に延びており、下面部４１ｃと同一平面を構成する。爪部４４は、基部４３の端部モジュール側の先端部分から上方向に向かって延びている。爪部４４は、継合部材５０を引っ掛けて止める役割を果たし、基部４３に対して略垂直に設けられることが好ましい。
【００４１】
鍔部４２とフレーム２１Ａの鍔部３２は、例えば、爪部の形状を変更する等互いに異なった形状としてもよいが、作業性や固定性向上等の観点から互いに略同一形状であることが好ましい。また、両者の寸法、特に幅方向長さは互いに略同一であることが好ましい。
【００４２】
＜継目部１３＞
継目部１３には、太陽電池モジュール１１同士を固定する部分（i）、及び太陽電池モジュール１１の長辺側と化粧カバー１２とを固定する部分（ii）がある。また、太陽電池モジュール１１の短辺側と化粧カバー１２との継目部１３（iii）がある。図７，８，９では、（i）を継目部１３Ａ、（ii）を継目部１３Ｂ、（iii）を継目部１３Ｃとして、それぞれ示している。継目部１３Ｃは、上記のように、太陽電池モジュール１１と化粧カバー１２とが互いに固定されていない点で継目部１３Ｂと異なる。
【００４３】
継目部１３Ａには、継合部材５０が設けられる。継合部材５０は、隣り合う太陽電池モジュール１１の長辺に沿って形成された各々のフレーム２１Ａの鍔部３２に跨って取り付けられ、太陽電池モジュール１１同士を互いにつなぐ。継合部材５０は、締結箇所（ボルト５１の取り付け位置）の近傍のみに設けられる短尺部材であってもよいし、フレーム２１Ａの長手方向に沿って延びる長尺部材であってもよい。
【００４４】
本実施形態では、継目部１３Ａの直下に水受け７０が設けられており、太陽電池モジュール１１は、水受け７０を介して縦桟１０１に設置されている。水受け７０は、隣り合う太陽電池モジュール１１の各フレーム２１Ａを載置可能な台座７５を有する。台座７５は、水受け７０の底板７２の幅方向中央部が上方に突出して形成されており、その上端に各フレーム２１Ａを同じ高さに支持する平坦な座面を有する。座面には、例えば、ボルト軸が挿通可能でボルトヘッドが引っ掛かるボルト止め構造が形成される。下方向から上方向に向かって座面に挿入されたボルト５１は、かかるボルト止め構造によりボルトヘッドが固定され、ボルト軸が上方に延びる。ボルト軸には、例えば、ボルトヘッドを台座７５に固定するためのナットが取り付けられる。
【００４５】
継合部材５０は、例えば、断面Ｕ字形状の押え金具である。継合部材５０には、例えば、ボルトを挿通可能なボルト孔が形成される。隣り合う太陽電池モジュール１１の各フレーム２１Ａをボルト５１のボルト軸を挟んで台座７５に載置後、継合部材５０のＵ字形状の端部（脚）により各鍔部３２の各基部３３を台座７５に押さえ付ける。その後、継合部材５０を基部３３に押し付けて固定するためのナットがボルト５１のボルト軸に取り付けられる。なお、各部材を固定する締結部材としては、ボルト５１以外に、クリップ式の締結部材やビス等を用いることもできる。継合部材５０は、本体部３０と爪部３４とに挟まれて幅方向の動きが拘束されるため、隣り合う太陽電池モジュール１１は互いにずれ動かないように固定される。継合部材５０として長尺部材を用いた場合、その締結箇所は少なくとも２箇所であることが好ましい。例えば、フレーム２１Ａの長手方向両端近傍に設置される締結部材７１よりもやや長手方向中央部よりに当該締結箇所が設けられる。
【００４６】
さらに、継目部１３Ａには、隣り合うフレーム２１Ａ間に跨って設けられる中間カバー部材を設けることが好適である。中間カバー部材は、継合部材５０等が受光面側から見えないように隠す中間カバー５２と、中間カバー５２を固定するための中間カバー受け５３とで構成することができる。中間カバー５２及び中間カバー受け５３には、互いに嵌り合う嵌合構造が形成されている。中間カバー５２は、例えば、太陽電池モジュール群１０の意匠性を高めると共に、雨水等の侵入を防止する防水機能を果たす。中間カバー受け５３は、例えば、ボルト孔を有し、継合部材５０上に配置されて、ボルト５１により継合部材５０と共に水受け７０に固定される。
【００４７】
継目部１３Ｂは、一方の太陽電池モジュール１１が化粧カバー１２に変わった以外、継目部１３Ａと同様の固定機構を有する。継目部１３Ｂにおいても、継目部１３Ａと同じ継合部材５０を使用することができる。また、継目部１３Ｂでは、継合部材５０の他にも、ボルト５１や中間カバー５２、中間カバー受け５３など、継目部１３Ａと同じ部材を使用することができる。
【００４８】
継合部材５０は、フレーム２１Ａの鍔部３２と化粧カバー１２の鍔部４２とに跨って取り付けられる。継合部材５０は、水受け７０の台座７５側から挿入されたボルト５１を締め付けることで、鍔部３２の基部３３と鍔部４２の基部４３とを押え付ける。そして、継合部材５０は、一方の脚がフレーム２１Ａの本体部３０と爪部３４とに、他方の脚が化粧カバー１２の取り付け部４１と爪部４４とに挟まれて幅方向の動きが拘束されるため、太陽電池モジュール１１と化粧カバー１２とが互いにずれ動かないように固定される。
【００４９】
継目部１３Ｃにおいても、継合部材５０やボルト５１、中間カバー５２、中間カバー受け５３など、継目部１３Ａ，Ｂと同じ部材を使用することができる。但し、図９に示す太陽電池モジュール１１の短辺側のフレーム２１Ｂには鍔部３２が形成されていないため、継合部材５０により太陽電池モジュール１１の短辺と化粧カバー１２は固定されない。継目部１３Ｃでは、継合部材５０の両脚を同じ高さに揃えるため、台座７５の座面上にボルト孔が形成されたスペーサー３５を設けることが好適である。これにより、継合部材５０を安定に締結することができ、化粧カバー１２を台座７５に固定することが可能となる。
【００５０】
＜水受け１４＞
水受け１４は、継目部１３の直下、及び太陽電池モジュール１１の短辺同士が突き合わされた部分の直下において、太陽電池モジュール１１の各々に跨って、また太陽電池モジュール１１と化粧カバー１２とに跨って設けられる。これにより、水受け１４は、かかる部分から裏面側に侵入する雨水等を受けることができる。水受け１４は、断面形状が同一の１種類の水受け（例えば、水受け７０）で構成されてもよいが、施工性等の観点から断面形状が異なる２種類の水受け６０，７０で構成されることが好ましい。水受け６０は、太陽電池モジュール１１の短辺に沿って設けられ、水受け７０は、太陽電池モジュール１１の長辺に沿って設けられる。水受け７０は、台座７５により太陽電池モジュール１１等を固定する。
【００５１】
水受け１４は、上記のように、隣り合う太陽電池モジュール１１の各々に跨って設けられるため、太陽電池モジュール１１の端縁を裏面側から覆う。水受け１４は、水受け６０，７０により各太陽電池モジュール１１の端縁の全長に亘って設けられている。フレーム２１の直下には水受け１４が存在し、また太陽電池パネル２０の端縁の直下にも水受け１４が存在する。
【００５２】
一方、水受け１４は、太陽電池素子２２の直下よりも太陽電池モジュール１１の端縁側に設けられることが好適である。即ち、水受け１４の幅方向端部が太陽電池素子２２の端部にかからないように水受け１４を設ける。これにより、裏面側からの光の入射が阻害されず、また水受け１４に起因する太陽電池素子２２の損傷を防止できる。水受け１４は、それ自体や太陽電池モジュール１１に衝撃が加わった場合に太陽電池パネル２０等と接触する可能性があるが、上記構成とすることで当該接触が起こった場合でも水受け１４と太陽電池素子２２との接触を防止できる。なお、特に上側に設けられる水受け６０は、太陽電池パネル２０と接触し易い。このため、平面視（断面視も同様）における太陽電池素子２２の端と水受け６０の端との距離Ｘ２（図１０参照）は、太陽電池素子２２の端と水受け７０の端との距離Ｘ１（図７参照）よりも長いことが好ましい。Ｘ１＝Ｘ２であってもよいが、例えば、Ｘ１＝０の場合はＸ２＞０とすることが好ましい。
【００５３】
水受け６０は、底板６１と、底板６１の幅方向両端部において上方向に延びた側壁６２とを有する。水受け６０は切欠き７４に嵌め込まれて水受け７０上に配置されるので（図４参照）、底板６１の外面は平坦であることが好ましい。かかる水受け６０の取り付け構造は施工性に優れるが、固定性を高めるため水受け６０を縦桟１０１に直接締結してもよい。この場合、例えば、水受け６０は水受け７０の上に配置されているため縦桟１０１からは浮いているので、水受け６０と縦桟１０１の間にスペーサーを設置する。側壁６２は、例えば、底板６１に対して略垂直であり、その高さは雨水等が漏れ出さない範囲で低く設定される。なお、端子ボックス２６に接続される電力線は水受け６０，７０内に配置されることが好ましく、側壁６２は電力線を隠蔽することが好ましい。
【００５４】
水受け６０は、太陽電池モジュール１１の短辺側の端縁に取り付けられた端子ボックス２６の直下に設けられることが好適である。より好ましくは、端子ボックス２６の直下よりも太陽電池パネル２０の中央部側に張り出すように水受け６０を設ける。これにより、端子ボックス２６が種々の外的因子等により太陽電池パネル２０から剥がれて脱落した場合であっても、水受け６０により端子ボックス２６を受け止めることができる。なお、図１０に示す例では、水受け６０の側壁６２が端子ボックス２６の下面よりも上方まで延びている。この場合、端子ボックス２６をより受け止め易くなる。
【００５５】
図１１（図１０に対応する断面図）に水受け６０の変形例を示す。図１１に示す例では、底板６１の設置位置は図１０の場合と同じであるが、側壁６２の高さがより低く、側壁６２の上端は端子ボックス２６の下面よりも下方に位置している。この場合、水受け６０に流れ込む水量が多い場合であっても端子ボックス２６が水に浸かることを防止できる。或いは、図１０に示す形態において、端子ボックス２６が水に浸からないように側壁６２の一部に水位調整用の孔や切欠きを形成してもよい。
【００５６】
底板６１の内面には、水受け６０の長手方向に沿って水を流し易くするための複数のリブ６３が設けられている。リブ６３は、底板６１の内面に形成された突起であって、裏面から受光面に向かう方向に突出している。リブ６３は、水受け６０の全長に亘って形成されることが好適である。リブ６３の高さ（ｈ63）は、側壁６２の高さ（ｈ62）よりも低く、ｈ63＝ｈ62×１／３〜１／１０程度が好ましい。この範囲であれば、施工性を損なうことなく水の流れを効率よく規制できる。なお、図１０に示す例では、同じ高さの４本のリブ６３が略等間隔で互いに略平行に形成されている。
【００５７】
図１２（図１０に対応する断面図）に水受け６０の変形例を示す。図１２に示す例では、高さが互いに異なる２種類のリブ６３Ａ，６３Ｂが形成されている。リブ６３Ａは、フレーム２１Ｂ，２１Ｃの直下に、リブ６３Ｂは、端子ボックス２６の直下にそれぞれ配置されている。リブ６３Ａの高さ（ｈ63A）は、リブ６３Ｂの高さ（ｈ63B）よりも高く、ｈ63A＝ｈ63B×１．５〜５程度が好ましい。上記のように、水受け６０は、それ自体や太陽電池モジュール１１に衝撃が加わった場合に太陽電池モジュール１１と接触する可能性があるが、ｈ63A＞ｈ63Bとすることで当該接触が起こった場合でも水受け６０と端子ボックス２６との接触を防止できる。即ち、リブ６３Ａとフレーム２１とが優先的に接触するため、リブ６３Ｂが端子ボックス２６に接触して損傷を与えることを防止できる。
【００５８】
水受け７０は、水受け６０と同様に、底板７２と、底板７２の幅方向両端部において上方向に延びた側壁７３とを有する。底板７２は、上記のように、幅方向中央部が突出して形成された太陽電池モジュール１１等を載置する台座７５を有する。そして、底板７２は締結部材７１により縦桟１０１に固定される。側壁７３は、例えば、底板７２に対して略垂直であり、その高さは雨水等が漏れ出さない範囲で低く設定される。但し、水受け７０を流れる水量は水受け６０よりも多く、また水受け７０内に電力線を配置する場合、その数は水受け６０よりも多くなるため、側壁７３の高さは側壁６２の高さよりも高いことが好ましい。
【００５９】
上記実施形態は、上述した変形例以外にも本発明の目的を損なわない範囲で適宜設計変更できる。例えば、上記実施形態では、太陽電池モジュール１１の長辺側のみに鍔部３２を形成するものとしたが、短辺側のみに鍔部３２を形成してもよく、或いは太陽電池モジュール１１の全周に鍔部３２を形成してもよい。また、太陽電池モジュール１１の長辺が横桟１０２に沿うように太陽電池モジュール１１を配置してもよい。この場合、水受け６０の上に水受け７０を配置することができる。
【００６０】
上記構成を備えた太陽電池モジュール群１０によれば、水受け１４により裏面側に雨水等が滴り落ちることを防止できる。
【００６１】
太陽電池モジュール群１０では、太陽電池モジュール１１の短辺同士が突き合わされた部分から、又は継目部１３から雨水等が裏面側に侵入する可能性があるが、かかる部分の直下に水受け１４を設けることで雨水等が滴り落ちることを防止できる。例えば、太陽電池モジュール１１の短辺側から裏面側に侵入した水は、水受け６０に受けられて水受け６０上を流れ、その下方に配置された水受け７０に流れ落ちる。水受け７０は長手方向に傾斜しているため、雨水は軒側に流れて水抜き孔４７から排出される。水抜き孔４７の下方には、樋などを設けておくことが好ましい。即ち、水受け１４は、太陽電池モジュール群１０を屋根材として適用した場合であっても水漏れの発生を十分に抑制する。
【００６２】
また、水受け７０を介して太陽電池モジュール１１や化粧カバー１２を架台に取り付けることにより、施工が容易になると共に、太陽電池モジュール１１等のより安定した取り付け形態を実現する。さらに、水受け６０が端子ボックス２６の直下に設けられることにより、端子ボックス２６が脱落した場合の受け皿として機能する。加えて、フレーム２１の直下に位置するリブ６３Ａの高さを、端子ボックス２６の直下に位置するリブ６３Ｂの高さよりも高くすることにより、リブ６３Ｂが端子ボックス２６に接触して損傷を与えることを防止する。
【００６３】
また、太陽電池モジュール群１０では、太陽電池モジュール１１同士、太陽電池モジュール１１と化粧カバー１２、及びこれらと架台との固定を、いずれも同じ継合部材５０等を用いて行うことができる。したがって、多種類の継合部材５０等を準備する必要がなく、コスト削減や作業性改善に寄与する。
【符号の説明】
【００６４】
１０  太陽電池モジュール群、１１  太陽電池モジュール、１２  化粧カバー、１３  継目部、１４  水受け、２０  太陽電池パネル、２１  フレーム、２２  太陽電池素子、２３  第１保護部材、２４  第２保護部材、２５  充填材、２６  端子ボックス、３０  フレーム本体部、３１  嵌合部、３２  鍔部、３３  基部、３４  爪部、３５  継合スペーサー、４０  化粧カバー本体部、４１  取り付け部、４２  鍔部、４３  基部、４４  爪部、４５  アングルピース、４６，７１  締結部材、４７  水抜き孔、４８  カバージョイント、５０  継合部材、５１  ボルト、５２  中間カバー、５３  中間カバー受け、６０，７０  水受け、６１  底板、６２  側壁、６３，６３Ａ，６３Ｂ  リブ、７２  底板、７３  側壁、７４  切欠き、７５  台座、１００  カーポート、１０１  縦桟、１０２  横桟、１０３  支柱。
【図１】
2014076954.tif 000003
【図２】
2014076954.tif 000004
【図３】
2014076954.tif 000005
【図４】
2014076954.tif 000006
【図５】
2014076954.tif 000007
【図６】
2014076954.tif 000008
【図７】
2014076954.tif 000009
【図８】
2014076954.tif 000010
【図９】
2014076954.tif 000011
【図１０】
2014076954.tif 000012
【図１１】
2014076954.tif 000013
【図１２】
2014076954.tif 000014
【国際調査報告】
2014076954.tif 000015
2014076954.tif 000016
2014076954.tif 000017
2014076954.tif 000018